(57)【要約】【課題】釣り糸ユニットを提供する。【解決手段】メイン釣り糸の端部に重しが吊設され、そのメイン釣り糸の途中の１または２以上の所定の箇所に、釣り針または釣り針付きサブ釣り糸が接続される釣り糸ユニットにおいて、前記メイン釣り糸の途中の所定の１箇所、または所定の間隔を隔てた複数箇所に軟質パイプ部材が設けられており、前記パイプ部材にサブ釣り糸または釣り針を通し、メイン釣り糸に対して接着剤による貼付けまたは熱接着を行うことにより得られることを特徴とする。これにより、釣り針付きサブ釣り糸をメイン釣り糸に繋止するとき、軟質合成樹脂製のパイプ部材を使用することから、生産工程を簡略化・単純化させることができ、生産性を大幅に高めて製品のコストを大幅に削減することができる他、均一な製品性能と釣り針またはサブ釣り糸との高い密着性が得られる。さらには、蛍光色を帯びた合成樹脂を用いることから、釣り針の視認性を高めることができる。【選択図】図３
2008220261.tif 000002
【特許請求の範囲】
【請求項１】
メイン釣り糸の端部に重しが吊設され、そのメイン釣り糸の途中の１または２以上の所定の箇所に、釣り針または釣り針付きサブ釣り糸が接続される釣り糸ユニットにおいて、
前記メイン釣り糸の途中の所定の１箇所、または所定の間隔を隔てた複数箇所に軟質パイプ部材が設けられており、前記パイプ部材にサブ釣り糸または釣り針を通し、メイン釣り糸に対して接着剤による貼付けまたは熱接着を行うことにより得られることを特徴とする、釣り糸ユニット。
【請求項２】
前記パイプ部材が、蛍光色を帯びた軟質合成樹脂製のものであることを特徴とする、請求項１に記載の釣り糸ユニット。
【請求項３】
前記パイプ部材が、成形対象となる管状の生地を所定の長さに切り取ったものであることを特徴とする、請求項１または２に記載の釣り糸ユニット。
【発明の詳細な説明】
【技術分野】
【０００１】
本発明は、釣り糸ユニットに係り、さらに詳しくは、釣り針または釣り針付きサブ釣り糸をメイン釣り糸に繋止するに際して軟質合成樹脂製のパイプ部材を用いることにより、作業性と生産性を大幅に高めることのできる釣り糸ユニットに関する。
【背景技術】
【０００２】
図１は、従来の技術による釣り糸ユニットの一態様を示す図であり、図２は、従来の技術による釣り糸ユニットの他の態様を示す図である。
【０００３】
通常、釣り糸ユニットは、メイン釣り糸１の端部に重し２が吊設され、メイン釣り糸１の途中の複数箇所に釣り針４付き多数のサブ釣り糸３が繋止されるような構造を有する。
【０００４】
このとき、サブ釣り糸３をメイン釣り糸１に繋止する方式としては種々の方式が採られている。例えば、図１に示すように、メイン釣り糸１の途中の複数箇所に所定の間隔を隔てて１対以上のビーズ５、６を外嵌し、ビーズ５、６同士が余計に離反しないように各ビーズ５、６の外側においてメイン釣り糸１を結ぶことにより結び目１ａ、１ｂを作っている。すなわち、ビーズ５、６を挟持するための結び目１ａ、１ｂを作ることにより、ビーズ５、６が余計に離反することを防いでいるのである。この状態で、サブ釣り糸３の端部に接続された輪体３ａを両ビーズ５、６の間に掛止することによって、サブ釣り糸３はメイン釣り糸１に繋止される。
【０００５】
または、図２に示すように、メイン釣り糸１の途中の複数箇所に所定の間隔を隔てて１対以上のビーズ５、６を外嵌し、これらのビーズ５、６同士が余計に離反しないように各ビーズ５、６の外側のメイン釣り糸１にクリップ管７、８を設けることもできる。
【０００６】
前記クリップ管７、８は、ステンレス材質製の金属管であり、メイン釣り糸１に外嵌した後、ペンチ等により圧着する。これにより、圧着されたクリップ管７、８はメイン釣り糸１に固定され、その結果、クリップ管７、８の間に挟置するビーズ５、６同士がそれ以上離反しなくなる。
【０００７】
しかしながら、メイン釣り糸におけるビーズ５、６同士が離反することを防ぐために形成された結び目１ａ、１ｂは、単にメイン釣り糸１を結んだだけで成立するものであるため、釣りの最中にメイン釣り糸やサブ釣り糸に強い張力が加えられるとき、結び目１ａ、１ｂの部分が途切れてしまうということがあった。また、メイン釣り糸１にクリップ管７、８を外嵌する場合であっても、クリップ管７、８を圧着する間にできる多数の圧着溝７ａによりメイン釣り糸１が損傷を負うことがあるため、釣りの最中に強い張力が加えられる場合、クリップ管７、８を固定している個所が途切れてしまうという問題点があった。そして、メイン釣り糸１に結び目を作る過程やクリップ管７、８を設ける過程で相当な手間がかかり、これは、釣り糸ユニットのコスト高の原因となるという問題点もあった。
【発明の開示】
【発明が解決しようとする課題】
【０００８】
本発明は上記事情に鑑みてなされたものであり、その目的は、メイン釣り糸に結び目を作ったり、あるいは、別途の部材であるクリップ管を使用しなくても、釣り針または釣り針付きサブ釣り糸同士の間隔を維持可能な釣り糸ユニットを提供するところにある。
【０００９】
また、本発明の他の目的は、製作が容易であり、合成樹脂製の軟質パイプ部材を使用することにより生産工程を簡略化・単純化させ、生産性を大幅に高めると共に、製品のコストを大幅に削減することのできる釣り糸ユニットを提供するところにある。
【課題を解決するための手段】
【００１０】
上記の目的を達成するために、本発明は、メイン釣り糸の端部に重しが吊設され、そのメイン釣り糸の途中の１または２以上の所定の箇所に、釣り針または釣り針付きサブ釣り糸が接続される釣り糸ユニットにおいて、前記メイン釣り糸の途中の所定の１箇所、または所定の間隔を隔てた複数箇所に軟質パイプ部材が設けられており、前記パイプ部材にサブ釣り糸または釣り針を通し、メイン釣り糸に対して接着剤による貼付けまたは熱接着を行うことにより得られることを特徴とする、釣り糸ユニットが提供される。
【００１１】
また、前記パイプ部材を、蛍光色を帯びた軟質合成樹脂製のものとしてもよい。
【００１２】
さらに、前記パイプ部材にサブ釣り糸を通して貼り付けることにより、メイン釣り糸にサブ釣り糸を繋止することができる。また、前記パイプ部材に釣り針を通して貼り付けることによりメイン釣り糸に釣り針を取り付けることも可能である。
【００１３】
このような前記パイプ部材としては、成形対象となる管状の生地を所定の長さに切り取って使用することができる。
【発明の効果】
【００１４】
本発明による釣り糸ユニットによれば、パイプ部材を接着剤または熱接着によりメイン釣り糸に直接的に固定することから、従来のようにメイン釣り糸に結び目を作ったり、あるいは、別途のクリップ管を設けたりすることが不要になり、その結果、メイン釣り糸が損傷を負うことを防止できる。これにより、釣りの最中に強い張力が加えられる場合であっても、メイン釣り糸が途切れてしまうことを防止できる。
【００１５】
さらには、結び目を作る過程やクリップ管の設置過程を省くことにより、釣り糸ユニットの製作が極めて簡単になり、その結果、量産可能であるとともに、製造コストを下げることができる。
【００１６】
また、軟質合成樹脂製のパイプ部材を使用することから、生産工程を簡略化・単純化させることができ、生産性を大幅に高めて製品のコストを大幅に削減することができる。
【００１７】
しかも、均一な製品性能と釣り針またはサブ釣り糸との高い密着性が得られ、且つ、蛍光色を帯びた合成樹脂を用いることから、釣り針の視認性を高めることができる。
【発明を実施するための最良の形態】
【００１８】
以下、本発明による釣り糸ユニットを添付図面に基づき詳細に説明する。
【００１９】
図３は、本発明の好適な一態様による釣り糸ユニットにおいて、メイン釣り糸に複数のパイプ部材が通された状態を示す斜視図である。
【００２０】
本発明の一態様による釣り糸ユニットは、メイン釣り糸１３の端部に重し（不図示）が吊設され、そのメイン釣り糸１３の途中の複数箇所に釣り針付きサブ釣り糸１４が接続される構造を有する。
【００２１】
このとき、前記メイン釣り糸１３の途中の複数箇所に所定の間隔を隔てて軟質パイプ部材２０が設けられるが、前記パイプ部材２０はメイン釣り糸１３に対して接着剤によって貼付けられるかまたは熱接着によって固定される。
【００２２】
ここで、前記パイプ部材２０は、蛍光色を帯びた軟質合成樹脂製のものであり、メイン釣り糸１３にパイプ部材２０を固定するために、前記メイン釣り糸１３とパイプ部材２０の中空部２１との間に接着剤を塗り込む。
【００２３】
すなわち、パイプ部材２０をメイン釣り糸１３に固定するために、図３に示すように、メイン釣り糸１３にパイプ部材２０を通した後、サブ釣り糸を繋止するための繋ぎ具１６を通し、次いで、パイプ部材２０をさらに通した後、メイン釣り糸１３とパイプ部材２０の中空部２１との間に接着剤を塗り込む。言い換えれば、メイン釣り糸１３とパイプ部材２０とが当接する個所に液状の接着剤を塗液することにより、接着剤がパイプ部材２０の中空部２１とメイン釣り糸１３との間を毛細管現象により移動し、充填された後に固まり、結果として、パイプ部材２０がメイン釣り糸１３に貼り付けられる。
【００２４】
このとき、メイン釣り糸１３にパイプ部材２０を通した後、熱を加えると、パイプ部材２０がメイン釣り糸１３に熱接着される。
【００２５】
一方、本発明のパイプ部材２０は、図３に示すように、メイン釣り糸１３にサブ釣り糸１４を繋止するときにも用いることができる。
【００２６】
すなわち、メイン釣り糸１３とサブ釣り糸１４をパイプ部材２０に一緒に通し、接着剤などにより固定することにより、簡単にサブ釣り糸１４を繋止することもできるのである。
【００２７】
このため、サブ釣り糸を繋止するための繋ぎ具１６を使用することなく、メイン釣り糸１３に直接的にサブ釣り糸１４を繋いで使用することができる。なお、図３では複数のパイプ部材２０の１つにサブ釣り糸１４が接続された状態を模式的に示すが、その他のパイプ部材２０にもそれぞれサブ釣り糸１４を接続することができる。
【００２８】
このように、本発明においては、従来の釣り糸ユニットにおいて、ビーズの前後に結び目を作る必要があったという煩雑さと、釣りの最中に釣り糸１３に強い張力が加えられるとき、結び目の個所が途切れてしまうという問題点を防ぐことができる。
【００２９】
前記パイプ部材２０としては、成形対象となる管状の生地を所定の長さに切り取って使用することが好ましい。
【００３０】
ここで、このような前記パイプ部材２０は、軟質合成樹脂製のものであることから、その生産方法が簡単であり、生産コストが極めて安価であり、その結果、製品のコストを大幅に削減することができる。
【００３１】
また、弾性を持つ軟質パイプ部材２０に前記釣り針１１が接着されるので、強固な固定が可能になると共に、均一な製品性能と釣り針との高い密着性を得ることができる。
【００３２】
一方、合成樹脂製の本発明によるパイプ部材２０には種々の色を自由に付けることができるが、好ましくは、蛍光色にして、水中における釣り針１１やその他のサブ釣り糸の視認を容易にしている。
【００３３】
図４は、本発明によるパイプ部材を用いて釣り針が取り付けられた状態を示す斜視図であり、図５は、本発明によるパイプ部材を用いて釣り糸の途中に釣り針が取り付けられた状態を示す斜視図である。
【００３４】
つまり、本発明によるパイプ部材２０を用いて釣り針を直接的に釣り糸１３に取り付けることができる。すなわち、釣り糸１３の端部にパイプ部材２０を外嵌した後、パイプ部材２０の中空部２１に釣り針１１を通し、釣り糸１３とパイプ部材２０の中空部２１との間に接着剤を塗り込んで釣り針１１を固定することにより、釣り針１１を直接的に釣り糸１３に取り付けることができる。
【００３５】
また、本発明によるパイプ部材２０においては、釣り糸１３の端部に加えて、釣り糸１３の途中に釣り針１１を取り付けることもできる。この場合には、前記パイプ部材２０に釣り糸１３と釣り針１１を一緒に通し、接着剤などにより貼り付けることにより簡単に釣り針１１の取り付けが可能であり、しかも、その構造は強固なものとなる。
【００３６】
本発明は、上述した態様に限定されるものではなく、本発明の思想を損なわない範囲内で当業者による変形が可能であることは言うまでもない。
【００３７】
したがって、本発明について権利を請求する範囲は、詳細な説明の範囲内に限定されるものではなく、添付の特許請求の範囲とその技術的思想により決まるべきである。
【図面の簡単な説明】
【００３８】
【図１】従来の技術による釣り糸ユニットの一態様を示す図である。
【図２】従来の技術による釣り糸ユニットの他の態様を示す図である。
【図３】本発明の好適な一態様による釣り糸ユニットにおいて、釣り糸にパイプ部材が通された状態を示す斜視図である。
【図４】本発明によるパイプ部材を用いて釣り針が取り付けられた状態を示す斜視図である。
【図５】本発明によるパイプ部材を用いて釣り糸の途中に釣り針が取り付けられた状態を示す斜視図である。
【符号の説明】
【００３９】
１１    釣り針
１３    釣り糸
１４    サブ釣り糸
１６    繋ぎ具
２０    パイプ部材
【図１】
2008220261.tif 000003
【図２】
2008220261.tif 000004
【図３】
2008220261.tif 000005
【図４】
2008220261.tif 000006
【図５】
2008220261.tif 000007